(57)【要約】      （修正有）【課題】取り扱い易く実用性に優れたＲＦタグ及びＲＦタグ装着具を提供する。【解決手段】質問機と通信するためのアンテナ部材２と、棒状の被装着物に嵌合可能な形状の内周側面を有する環状体３と、環状体３に設けられ、アンテナ部材２を被装着物から所定距離以上離間させた状態で固定する台座部３３とを有するＲＦタグ１を構成する。環状体３は例えば全周の１／２より長い周長の内周側面を有し、台座部３３は環状体３をその外周方向に突出させて形成される。またアンテナ部材２はシート状アンテナ２１を含む。またアンテナ部材２はシート状アンテナ２１の少なくとも一方の面に接合されるシート状アンテナ２１よりも剛性の高い保護部材２２を含む。【選択図】図１
0003135697.tif 000002
【実用新案登録請求の範囲】
【請求項１】
質問機と通信するためのアンテナ部材と、棒状の被装着物に嵌合可能な形状の内周側面を有する環状体と、前記環状体に設けられ、前記アンテナ部材を前記被装着物から所定距離以上離間させた状態で固定する台座部とを有することを特徴とするＲＦタグ。
【請求項２】
前記環状体は全周の１／２より長い周長の内周側面を有し、前記台座部は前記環状体をその外周方向に突出させて形成されていることを特徴とする請求項１に記載のＲＦタグ。
【請求項３】
前記アンテナ部材はシート状アンテナを含むことを特徴とする請求項１に記載のＲＦタグ。
【請求項４】
前記アンテナ部材は、前記シート状アンテナの少なくとも一方の面に接合される、前記シート状アンテナより剛性の高い保護部材を含むことを特徴とする請求項３に記載のＲＦタグ。
【請求項５】
前記アンテナ部材は、前記シート状アンテナの両面に接合される、前記シート状アンテナより剛性の高い保護部材を含むことを特徴とする請求項３に記載のＲＦタグ。
【請求項６】
前記アンテナ部材は平面略矩形状であり、前記アンテナ部材はその長手方向中央部において前記台座部に固定されていること特徴とする請求項１に記載のＲＦタグ。
【請求項７】
複数の前記環状体を有し、前記アンテナ部材はその長手方向の所定位置において各前記環状体の前記台座部が固定されていることを特徴とする請求項１に記載のＲＦタグ。
【請求項８】
前記台座部は前記環状体をその外周方向に平板状に延出させることにより形成され、前記アンテナ部材はシート状アンテナを含み、前記アンテナ部材は前記シート状アンテナの法線が前記環状体の中心軸に対して垂直になるように前記台座部に固定されることを特徴とする請求項１に記載のＲＦタグ。
【請求項９】
前記アンテナ部材は、前記シート状アンテナの少なくとも一方の面に接合される、前記シート状アンテナより剛性の高い保護部材を含むことを特徴とする請求項８に記載のＲＦタグ。
【請求項１０】
前記アンテナ部材は、前記シート状アンテナの両面に接合される、前記シート状アンテナより剛性の高い保護部材を含むことを特徴とする請求項９に記載のＲＦタグ。
【請求項１１】
前記アンテナ部材は平面略矩形状であり、前記アンテナ部材はその長手方向中央部において前記台座部に固定されていること特徴とする請求項８に記載のＲＦタグ。
【請求項１２】
前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることを特徴とする請求項１に記載のＲＦタグ。
【請求項１３】
前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることを特徴とする請求項１に記載のＲＦタグ。
【請求項１４】
質問機と通信するためのアンテナ部材と、内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、前記アンテナ部材が前記被装着物から所定距離以上離間させた状態で固定される台座部とを有することを特徴とするＲＦタグ。
【請求項１５】
前記環状体は前記開口から前記嵌合部に前記被装着物を誘導する窄み形状を有することを特徴とする請求項１４に記載のＲＦタグ。
【請求項１６】
前記アンテナ部材は平面略矩形状のシート状アンテナを含み、前記アンテナ部材が、前記シート状アンテナの長手方向が前記被装着物の長手方向と平行になるように前記台座部に固定されていることを特徴とする請求項１４に記載のＲＦタグ。
【請求項１７】
前記アンテナ部材は平面略矩形状のシート状アンテナを含み、前記アンテナ部材が、前記シート状アンテナの長手方向が前記被装着物の長手方向に対して垂直になるように前記台座部に固定されていることを特徴とする請求項１４に記載のＲＦタグ。
【請求項１８】
前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることを特徴とする請求項１に記載のＲＦタグ。
【請求項１９】
棒状の被装着物に嵌合可能な形状の内周側面を有する環状体と、前記環状体に設けられ、前記アンテナ部材を前記被装着物から所定距離以上離間させた状態で固定する台座部とを有することを特徴とするＲＦタグ装着具。
【請求項２０】
前記台座部は前記環状体をその外周方向に平板状に延出させることにより形成され、シート状アンテナを含む前記アンテナ部材が、前記シート状アンテナの法線が前記環状体の中心軸に対して垂直になるように前記台座部に固定されることを特徴とする請求項１９に記載のＲＦタグ装着具。
【請求項２１】
前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることを特徴とする請求項１９に記載のＲＦタグ装着具。
【請求項２２】
前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることを特徴とする請求項１９に記載のＲＦタグ装着具。
【請求項２３】
内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、質問機と通信するためのアンテナ部材が前記被装着物から所定距離以上離間させた状態で固定される台座部とを有することを特徴とするＲＦタグ装着具。
【請求項２４】
前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることを特徴とする請求項１９に記載のＲＦタグ装着具。
【考案の詳細な説明】
【技術分野】
【０００１】
本考案は、ＲＦタグ（RF :Radio Frequency）及びＲＦタグ装着具に関し、とくに取り扱い易く実用性に優れたＲＦタグ及びＲＦタグ装着具を提供する技術に関する。
【背景技術】
【０００２】
昨今、物流業界や運送業界ではＲＦタグを利用した業務の効率化が進められている。  
例えば、特許文献１には、流通センタや配送センタ等で用いられているカゴ車に積載されている複数の商品情報を短時間で全数管理し、かつ、配送業者による誤配を防止すべく、カゴ車（配送用キャリア）に非接触無線タグを設け、入荷から出荷までのカゴ車の通路上に、ゲートを任意に開放・閉鎖できる遮断手段、カゴ車の進入及び通過を検知する光学検出手段、カゴ車の非接触無線タグの情報を読み取る情報端末、読み取った非接触無線タグの情報に基づき遮断手段を制御する遮断制御手段等を有する入出荷登録処理システムが開示されている。
【０００３】
また特許文献２には、不完全配送や誤配を未然に防止すべく、ＩＣタグをカゴ車に取付け、配送先別の受注情報、商品別の発注情報、カゴ車別の管理情報を情報処理装置に管理し、ＩＣタグに書き込まれている商品コード等の情報を読み取ることにより商品の管理を行うように構成した入出荷管理システムが開示されている。
【特許文献１】特開２００３−３２７３３１号公報
【特許文献２】特開２００１−２１３５０２号公報
【考案の開示】
【考案が解決しようとする課題】
【０００４】
ところで、カゴ車等の被装着物に装着されるＲＦタグには、脱着の容易さとともに、接触、衝突等によって容易に損傷・破損等しない堅牢性が要求される。またこのようなＲＦタグには、被装着物が移動等する際に容易に外れることのない構造であることも要求される。また取り扱い安さの面から、軽量・小型であること、製造コストが低廉であること等も要求される。さらにＲＦタグに実装されているアンテナは金属等の導電体に近接すると性能が低下するため、被装着物が導電帯である場合には、ＲＦタグが被装着物に装着された状態で被装着物とＲＦタグのアンテナとが近接しないようにする必要もある。
【０００５】
本考案はこのような背景に鑑みてなされたもので、取り扱い易く実用性に優れたＲＦタグ及びＲＦタグ装着具を提供することを目的とする。
【課題を解決するための手段】
【０００６】
上記目的を達成するための本考案のうちの第１の請求項に記載の考案は、ＲＦタグであって、質問機と通信するためのアンテナ部材と、棒状の被装着物に嵌合可能な形状の内周側面を有する環状体と、前記環状体に設けられ、前記アンテナ部材を前記被装着物から所定距離以上離間させた状態で固定する台座部とを有することとする。
【０００７】
また第２の請求項に記載の考案は、請求項１に記載のＲＦタグであって、前記環状体は全周の１／２より長い周長の内周側面を有し、前記台座部は前記環状体をその外周方向に突出させて形成されていることとする。
【０００８】
また第３の請求項に記載の考案は、請求項１に記載のＲＦタグであって、前記アンテナ部材はシート状アンテナを含むものである。
【０００９】
また第４の請求項に記載の考案は、請求項３に記載のＲＦタグであって、前記アンテナ部材は、前記シート状アンテナの少なくとも一方の面に接合される、前記シート状アンテナより剛性の高い保護部材を含むものである。
【００１０】
また第５の請求項に記載の考案は、請求項３に記載のＲＦタグであって、前記アンテナ部材は、前記シート状アンテナの両面に接合される、前記シート状アンテナより剛性の高い保護部材を含むこととする。
【００１１】
また第６の請求項に記載の考案は、請求項１に記載のＲＦタグであって、前記アンテナ部材は平面略矩形状であり、前記アンテナ部材はその長手方向中央部において前記台座部に固定されていることとする。
【００１２】
また第７の請求項に記載の考案は、請求項１に記載のＲＦタグであって、複数の前記環状体を有し、前記アンテナ部材はその長手方向の所定位置において各前記環状体の前記台座部が固定されていることとする。
【００１３】
また第８の請求項に記載の考案は、請求項１に記載のＲＦタグであって、前記台座部は前記環状体をその外周方向に平板状に延出させることにより形成され、前記アンテナ部材はシート状アンテナを含み、前記アンテナ部材は前記シート状アンテナの法線が前記環状体の中心軸に対して垂直になるように前記台座部に固定されることとする。
【００１４】
また第９の請求項に記載の考案は、請求項８に記載のＲＦタグであって、前記アンテナ部材は、前記シート状アンテナの少なくとも一方の面に接合される、前記シート状アンテナより剛性の高い保護部材を含むこととする。
【００１５】
また第１０の請求項に記載の考案は、請求項９に記載のＲＦタグであって、前記アンテナ部材は、前記シート状アンテナの両面に接合される、前記シート状アンテナより剛性の高い保護部材を含むこととする。
【００１６】
また第１１の請求項に記載の考案は、請求項８に記載のＲＦタグであって、前記アンテナ部材は平面略矩形状であり、前記アンテナ部材はその長手方向中央部において前記台座部に固定されていることとする。
【００１７】
また第１２の請求項に記載の考案は、請求項１に記載のＲＦタグであって、前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることとする。
【００１８】
また第１３の請求項に記載の考案は、請求項１に記載のＲＦタグであって、前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることとする。
【００１９】
また第１４の請求項に記載の考案は、質問機と通信するためのアンテナ部材と、内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、前記アンテナ部材が前記被装着物から所定距離以上離間させた状態で固定される台座部とを有することとする。
【００２０】
また第１５の請求項に記載の考案は、請求項１４に記載のＲＦタグであって、前記環状体は前記開口から前記嵌合部に前記被装着物を誘導する窄み形状を有することとする。
【００２１】
また第１６の請求項に記載の考案は、請求項１４に記載のＲＦタグであって、前記アンテナ部材は平面略矩形状のシート状アンテナを含み、前記アンテナ部材が、前記シート状アンテナの長手方向が前記被装着物の長手方向と平行になるように前記台座部に固定されていることとする。
【００２２】
また第１７の請求項に記載の考案は、請求項１４に記載のＲＦタグであって、前記アンテナ部材は平面略矩形状のシート状アンテナを含み、前記アンテナ部材が、前記シート状アンテナの長手方向が前記被装着物の長手方向に対して垂直になるように前記台座部に固定されていることとする。
【００２３】
また第１８の請求項に記載の考案は、請求項１に記載のＲＦタグであって、前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることとする。
【００２４】
また第１９の請求項に記載の考案は、ＲＦタグ装着具であって、棒状の被装着物に嵌合可能な形状の内周側面を有する環状体と、前記環状体に設けられ、前記アンテナ部材を前記被装着物から所定距離以上離間させた状態で固定する台座部とを有することとする。
【００２５】
また第２０の請求項に記載の考案は、請求項１８に記載のＲＦタグ装着具であって、前記台座部は前記環状体をその外周方向に平板状に延出させることにより形成され、シート状アンテナを含む前記アンテナ部材が、前記シート状アンテナの法線が前記環状体の中心軸に対して垂直になるように前記台座部に固定されることとする。
【００２６】
また第２１の請求項に記載の考案は、請求項１８に記載のＲＦタグ装着具であって、前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることとする。
【００２７】
また第２２の請求項に記載の考案は、請求項１８に記載のＲＦタグ装着具であって、前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることとする。
【００２８】
また第２３の請求項に記載の考案は、ＲＦタグ装着具であって、内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、質問機と通信するためのアンテナ部材が前記被装着物から所定距離以上離間させた状態で固定される台座部とを有することとする。
【００２９】
また第２４の請求項に記載の考案は、請求項１９に記載のＲＦタグ装着具であって、前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることとする。
【考案の効果】
【００３０】
本考案によれば、取り扱い易く実用性に優れたＲＦタグ及びＲＦタグ装着具を提供することができる。
【考案を実施するための最良の形態】
【００３１】
以下、本考案の実施形態について説明する。
【００３２】
＝＝実施例１＝＝
図１に実施例１として説明するＲＦタグ（RF :Radio Frequency）（ＲＦＩＤ:Radio Frequency Identification）の斜視図を示している。このＲＦタグ１は、平面略矩形状のアンテナ部材２、及びアンテナ部材２の各端部近傍に設けられる２つの環状体３ａ，３ｂ（ＲＦタグ装着具）を有している。ＲＦタグ１は、環状体３ａ，３ｂを配送センタや物流センタ等の流通・運送業で用いられるカゴ車のフレームパイプ等の被装着物５に嵌合させることにより被装着物５に装着される。
【００３３】
アンテナ部材２は、シート状アンテナ２１、及びシート状アンテナ２１を両面から挟み込むようにしてシート状アンテナ２１の両面に接合され、シート状アンテナ２１よりも剛性の高い素材（例えばアクリル樹脂、ＡＢＳ樹脂、ポリエチレン系樹脂）からなる２つの保護部材２２ａ，２２ｂを有している。
【００３４】
シート状アンテナ２１は、絶縁性の樹脂シートの表面にアルミニウム（Al)や銅（Cu)等の導体泊で形成されるアンテナパターン２１１（例えばダイポールアンテナ）、及びシリコン基板をベースとして形成され、質問機との間の通信機能やデータ保持機能等のＲＦタグ１の基本的な機能を実現する集積回路（以下、無線ＩＣチップ２１２と称する。）を有している。上記絶縁性の樹脂シートの素材は、例えばポリエチレン系、ポリプロピレン系の樹脂である。
【００３５】
図２は無線ＩＣチップ２１２のブロック図である。無線ＩＣチップ２１２は、整流回路２１２１、電源レギュレータ２１２２、クロック生成回路２１２３、復調回路２１２４、変調回路２１２５、ロジック回路２１２６、不揮発性メモリ２１２７を有している。
【００３６】
この無線ＩＣチップ２１２は、例えば次のように動作する。すなわち、質問機から送信された質問信号が入力されると、アンテナパターン２１１に起電力が生じる。この起電力の一部は整流回路２１２１によって整流されてＲＦタグ１の駆動電力となる。起電力の他の一部はクロック生成回路２１２３に供給され、クロック信号が生成される。一方、アンテナパターン２１１において受信される受信信号は、復調回路２１２４で復調され、その復調信号に応じて不揮発性メモリ２１２７に記憶されている情報をロジック回路２１２６が読み出す。そして読み出された情報はロジック回路２１２６によって変調回路２１２５に供給され、変調回路２１２５で変調された変調信号がアンテナパターン２１１から応答の無線信号として出力される。
【００３７】
図１に示す２つの環状体３ａ，３ｂ（ＲＦタグ装着具）は、絶縁性の素材（例えば塩化ビニルやＡＢＳ樹脂）からなる。環状体３ａ，３ｂの側面３１ａ，３１ｂは全周の１／２よりも長く、側面３１ａ，３１ｂの一部は開口している（以下、この開口を符号３２ａ，３２ｂで示す。）。
【００３８】
図３にＲＦタグ１を環状体３ａ，３ｂの中心軸Ｚの方向（図１において矢印Ａで示す方向）から眺めた図を示している。環状体３ａ，３ｂの中心軸Ｚに対して開口３２ａ，３２ｂに対象な位置に、アンテナ２部材が固定される台座部３３ａ，３３ｂが設けられている。
【００３９】
同図に示すように、この台座部３３ａ，３３ｂは、側面３１ａ，３１ｂの一部を外周方向にその断面形状が略半円状になるように湾曲させることにより形成されている。図１に示すように、台座部３３ａ，３３ｂは、側面３１ａ，３１ｂに沿って峰をなすように設けられている。台座部３３ａ，３３ｂの頂部には、接着剤（又は溶剤）等を用いてアンテナ部材２が接合されている。なお、図１に示すＲＦタグ１の例では、アンテナ部材２の長手方向と環状体３ａ，３ｂの中心軸Ｚの方向が一致しているが、必ずしも一致している必要はない。アンテナ部材２の長手方向と環状体３ａ，３ｂの中心軸Ｚの方向は被装着物５の形態等に応じて任意の位置関係に設定することができる。
【００４０】
図１に示すＲＦタグ１を、カゴ車のフレームパイプ等の被装着物５に装着する場合には、まず環状体３１ａ，３１ｂの開口３２ａ，３２ｂを被装着物５の方向（図３の矢印Ｂで示す方向）に向けてＲＦタグ１を被装着物５に押し付ける。すると側面３１ａ，３１ｂが弾性変形して開口３２ａ，３２ｂが広がり、環状体３ａ，３ｂの内部に被装着物５が嵌合し、ＲＦタグ１が被装着物５に装着される。
【００４１】
一方、ＲＦタグ１を被装着物５から取り外す場合には、ＲＦタグ１を取り付けた場合とは逆方向（図３の矢印Ｂで示す方向と逆の方向）にＲＦタグ１に力を加える。すると被装着物５の外周側面から受ける圧力により環状体３ａ，３ｂの側面３１ａ，３１ｂが弾性変形して開口３２ａ，３２ｂが広がり、嵌合されていた被装着物５が環状体３ａ，３ｂから外れてＲＦタグ１は被装着物５から取り外される。なお、図４ＡにＲＦタグ１が被装着物５に装着されている様子を、また図４ＢにＲＦタグ１がカゴ車６のフレームパイプ（被装着物５）に装着されている様子を示す。
【００４２】
ところで、前述したように、カゴ車のフレームパイプのように被装着物５が導電体である場合には、被装着物５がシート状アンテナ２１に近接することによりＲＦタグ１の応答性能が低下する。しかしながらこの実施例のＲＦタグ１では、アンテナ部材２の全体が台座部３３ａ，３３ｂの頂部３５ａ，３５ｂの高さ分だけ被装着物５から離間しているので被装着物５に近接することによる応答性能の低下を防ぐことができる。なお、上記所定距離は、質問機とＲＦタグ１との間で送受信される無線信号の周波数や信号強度、シート状アンテナ２１の特性、ＲＦタグ１に求められる性能等、個々のＲＦタグ１の仕様に応じて定められることになる。
【００４３】
被装着物５がＲＦタグ１の応答性能に与える影響を調べるために図１の構成からなるＲＦタグ１を試作して性能測定を行った。性能測定に際して図５Ａ及び図５Ｂに示す寸法からなるＲＦタグ１を試作した。シート状アンテナ２１としては、図６に示す形状のアンテナパターン２１１を有するものを用いた。
【００４４】
性能測定は、質問機（ＲＦタグのリーダ装置、又はＲＦタグのリーダ／ライタ装置）からシングルポートモードの所定出力（約１９ｄＢｍ、８１ｍＷ）の無線信号を送信し、被装着物５に装着したＲＦタグ１から送られてくる無線信号を受信可能（ＲＦタグ１からの情報を読み取り可能）な距離を測定することにより行った。被装着物５としては、環状体３ａ，３ｂの内径に等しい外径を有するアルミニウム製の金属パイプを用いた。また比較のためＲＦタグ１を絶縁体の棒（例えば木製の棒）に装着して同様の測定を行った。
【００４５】
以上の条件下で性能測定を行ったところ、ＲＦタグ１を金属パイプに装着した場合には距離が１５０ｃｍのところで受信不能となった。またＲＦタグ１を木製の棒に取り付けた場合には質問機とＲＦタグ１の距離が２５０ｃｍのところで受信不能となった。従って金属パイプに装着した場合の性能劣化の度合いは１５０／２５０＝６０％となり、実施例１のＲＦタグ１は実用上充分な応答性能を有していることが確認できた。
【００４６】
以上に説明したＲＦタグ１によれば、被装着物５への脱着を容易に行うことができる。また環状体３ａ，３ｂと台座部３３ａ，３３ｂとが一体成形されているため、小型かつ堅牢である。また環状体３ａ，３ｂと台座部３３ａ，３３ｂとを一体成形することができるため、製造が容易であり、コストも低廉に抑えることができる。
【００４７】
またシート状アンテナ２１を、その両面がシート状アンテナよりも剛性の高い保護部材によって保護しているため、脆弱なシート状アンテナ２１を外力から確実に保護することができる。
【００４８】
また複数の環状体３ａ，３ｂによってＲＦタグ１を被装着物５に確実に装着することができ、振動や接触等による脱落を防ぐことができる。
【００４９】
台座部３３ａ，３３ｂに固定された状態でシート状アンテナ２１の全体が被装着物５から所定距離以上離間しているため、被装着物５が導電体である場合でも実用上充分な応答性能を確保することができる。
【００５０】
なお、以上に説明した実施例１及び他の実施例で説明するＲＦタグ１は、質問機との間で送受信する無線信号の周波数として例えばＵＨＦ帯（４３０ＭＨｚ帯、９５０ＭＨｚ帯）を使用するものを想定しているが、本考案が適用される範囲は必ずしもこれに限定されない。例えば無線信号の周波数として１３．５６ＭＨｚ帯、２．４５ＧＨｚ帯等を使用するＲＦタグに本考案を適用することもできる。
【００５１】
またこの実施例１及び他の実施例で説明するＲＦタグ１は、質問機（リーダ装置、リーダライタ装置等）から受信した無線信号のエネルギーを利用して応答の無線信号を出力する、いわゆるパッシブ型のものを想定しているが、本考案はアクティブ型のＲＦタグに適用することもできる。
【００５２】
なお、本実施例では、２つの環状体３ａ，３ｂを設けているが、環状体３ａ，３ｂの数は３つ以上であってもよい。
【００５３】
＝＝実施例２＝＝
図７に実施例２として説明するＲＦタグ１の斜視図を示している。このＲＦタグ１は、アンテナ部材２、環状体３ａ，３ｂ、及び台座部３３ａ，３３ｂの構成については実施例１におけるＲＦタグ１と共通するが、アンテナ部材２の長手方向中央に環状体３を１つのみ有している点で実施例１のＲＦタグ１と構成が異なる。被装着物５への装着時の取付け強度がさほど要求されない場合には、この実施例２のＲＦタグ１のように環状体３を１つのみとすることもできる。
【００５４】
なお、同図に例示したＲＦタグ１では、環状体３をアンテナ２部材の長手方向中央に１つのみ設けているが、環状体３を設ける位置は必ずしもこれに限られない。例えばアンテナ２部材の端部近傍に設ける等、環状体３を設ける位置は被装着物５の形状や性質等に応じて任意に設定することができる。また同図に示す例では、アンテナ部材２の長手方向と環状体３の中心軸Ｚの方向が一致しているが、一致していなくてもよい。
【００５５】
以上に説明した実施例２のＲＦタグ１について、実施例１の場合と同じ条件で性能測定を行ったところ、実施例１の場合と同様にその性能劣化の度合いは６０％程度であり、実用上充分な応答性能を有していることが確認できた。
【００５６】
以上に説明した実施例２のＲＦタグ１によれば、環状体３が１つのみであるので、実施例１のＲＦタグ１に比べて製造コストを抑えることができる。
【００５７】
また環状体３が１つのみであるため、実施例１の場合に比べて被装着物５の選択の幅が広くなる。またアンテナ部材２を固定する位置やアンテナ部材２の向きに対する環状体３の中心軸Ｚの向きを任意に設定することができる。このため、この実施例２のＲＦタグ１は、様々な種類の被装着物５に広範に適用することができる。
【００５８】
＝＝実施例３＝＝
図８に実施例３として説明するＲＦタグ１の斜視図を示している。同図に示すＲＦタグ１は、図７に示した実施例２のＲＦタグ１と、環状体３の台座部３３の構成が異なっている。このＲＦタグ１の環状体３は、側面３２から外周方向に延出する略平板状の台座部３３を有しており、台座部３３の表面に、実施例１で示したアンテナ部材２と同じ構成のアンテナ部材２が接合されている。
【００５９】
アンテナ部材２が取り付けられる台座部３３の表面は、この表面に接合されるアンテナ部材２のアンテナパターン２１１のパターン面の法線が、環状体３の中心軸Ｚに対して垂直になるように、すなわち、アンテナパターン２１１のパターン面が環状体３の中心軸Ｚを通り外周方向を向く線に平行になるように形成されている。
【００６０】
実施例３のＲＦタグ１について、実施例１の場合と同じ条件で性能測定を行ったところ、実施例１の場合と同様に性能劣化の度合いは６０％程度であり、実用上充分な応答性能を有していることを確認できた。なお、実施例３のＲＦタグ１のような構成としても応答性能を確保することができるのは、アンテナパターン２１１を上記のように位置決めすることで被装着物５の影響を受けにくくなるからであると考えられる。
【００６１】
実施例３のＲＦタグ１によれば、アンテナ部材２を被装着物５から離間させる必要がなく、環状体３に近接する位置にアンテナ部材２を設けても実用上充分な応答性能を確保することができる。
【００６２】
また実施例３のＲＦタグ１によれば、アンテナ部材２が台座部３に面的に接合されるため、アンテナ部材２を強固に台座部３に固定することができる。
【００６３】
＝＝実施例４＝＝
図９に実施例４として説明するＲＦタグ１の斜視図を示している。同図に示すＲＦタグ１は、図１に示した実施例１のＲＦタグ１と、環状体３ａ，３ｂの側面３１ａ，３１ｂの形状が異なっている（台座部３３の構造は実施例１と共通している。）。同図に示すように、実施例４として示すＲＦタグ１の環状体３は略円筒状であり、その側面３１ａ，３１ｂに当該側面３１ａ，３１ｂを環状体３ａ，３ｂの長手方向に沿って切断されている。そしてその切断部３６ａ，３６ｂには、切断された側面３１ａ，３１ｂの各端部を係止する係止部３７ａ，３７ｂが設けられている。
【００６４】
側面３１ａ，３１ｂの周上の、切断部３６ａ，３６ｂの環状体３ａ，３ｂの中心軸Ｚに対して対象となる位置には、切断部３６ａ，３６ｂの切断線と平行に、環状体３ａ,３ｂの側面３１ａ，３１ｂを断面略半円状に外周側に湾曲させて形成される褶曲部３８ａ，３８ｂが設けられている。この褶曲部３８ａ，３８ｂは、側面３１ａ、３１ｂよりも薄肉に形成されており、褶曲部３８ａ，３８ｂは環状体３ａ，３ｂを開口させる際の支点として機能する。すなわち、切断部３６ａ，３６ｂにおいて対向する側面３１ａ，３１ｂの端部を褶曲部３８ａ，３８ｂを支点として捲り上げるようにして広げることにより、環状体３ａ，３ｂを容易に開口させることができる。
【００６５】
この実施例４のＲＦタグ１を被装着物５に装着する場合には、まず係止部３７ａ，３７ｂによる係止状態を解除した後、切断部３６ａ，３６ｂにおいて対向する側面３１ａ，３１ｂの端部を捲り上げるようにして広げることにより環状体３ａ，３ｂを開口し、開口部分から被装着物５を環状体３の内周側に収容して嵌合し、その後、係止部３７ａ，３７ｂにより側面３１ａ，３１ｂを結合させて切断部３６ａ，３６ｂに対向する側面３１ａ，３１ｂの端部同士を係止する。
【００６６】
以上に説明した実施例４のＲＦタグ１によれば、ＲＦタグ１を被装着物５に確実に装着することができる。このため、このＲＦタグ１は外力が印加され易い状況で使用される場合に好適である。
【００６７】
＝＝実施例５＝＝
図１０に実施例５として説明するＲＦタグ１の斜視図を示している。同図に示すＲＦタグ１は、図１に示した実施例１のＲＦタグ１と、台座部３３の構造が異なっている。すなわち、このＲＦタグ１の台座部３３は、環状体３の側面３１ａ，３１ｂ，３１ｃの一部を外周方向に突出させて形成されている。また台座部３３は、その長手方向が環状体３の中心軸Ｚに平行して設けられる、平面略矩形状のアンテナ固定部３３１を有している。またアンテナ固定部３３１の表面には、凹部３３１１が設けられており、この凹部３３１１にシート状アンテナ２１が収容されている。またアンテナ固定部３３１には、凹部３３１１に収容されているシート状アンテナ２１を覆う平面略矩形状の保護部材２２が設けられている。なお、凹部３３１１の長手方向両端辺は、２段の階段状に形成されており、保護部材２２は各短辺の１段目の平面部分にその長手方向端部を係止するように載置されている。
【００６８】
この実施例５のＲＦタグ１によれば、実施例１のようにシート状アンテナ２１と保護部材２２とからなるアンテナ部材２を別途製造する必要がなく、実施例１と同等の機能を有するＲＦタグ１を容易に製造することができる。また保護部材２２と凹部３３１１とによって囲まれる空間内に接着剤等を充填することにより、防水性を確保することもできる。
【００６９】
なお、図１０に示すＲＦタグ１は、３つの環状体３ａ，３ｂ，３ｃを有しているが、環状体の数は１つ又は２つとすることもできるし、４つ以上とすることもできる。
【００７０】
＝＝実施例６＝＝
図１１Ａに実施例６として説明するＲＦタグ１の斜視図を示している。同図に示すＲＦタグ１は、図１に示した実施例１のＲＦタグ１と環状体３の構造が異なっている。同図に示すように、環状体３の外形は略直方体状であり、環状体３は可撓性を有する素材からなる。環状体３の内周側面３１１の一部には、その一部が開口し、細長い平板状の被装着物５に嵌合可能な形状の嵌合部３９が形成されている。
【００７１】
環状体３の内周側面３１１には、当該内周側面３１１の一部を突出させて形成され、嵌合部３９に嵌合されている被装着物５が確実に固定されるようにするために断面略直角三角形状の爪部４０が設けられている。この爪部４０の環状体３の内周側に向く端面は、被装着物５に密着形状に形成されており、一方、環状体３の外周側に向く端面は、被装着物５を嵌合部３９に容易に誘導できるように斜面状に形成されている。
【００７２】
環状体３の内周側面３１１の嵌合部３９に連続する部分は、断面が略楔形に形成され、これにより被装着物５が内周側面３１１に沿って嵌合部３９に自然に誘導される窄み形状が形成されている。
【００７３】
環状体３の側面３１には、嵌合部３９に嵌合される被装着物５の一方の面の側に位置する側面３を厚肉に形成することにより台座部３３が形成されている。なお、台座部３３を形成する側面３１は、アンテナ部材２が被装着物５から所定距離以上離間した状態で固定されるように充分な厚みをもたせてある。
【００７４】
このＲＦタグ１を被装着物５に装着する場合には、嵌合部３９の開口部４１に被装着物５を挿入する。そして被装着物５が爪部４０を完全に乗り越えるまで被装着物５を完全に押し込む。これにより爪部５０により被装着物５がロックされ、ＲＦタグ１が被装着物５に確実に固定される。一方、ＲＦタグ１を被装着物５から取り外す場合には、開口部４１を押し広げて爪部４０のロックを解除し、この状態でＲＦタグ１を引き抜くようにして被装着物５からＲＦタグ１を取り外す。
【００７５】
なお、図１１Ａに示すＲＦタグ１ではシート状アンテナ２１の長手方向が被装着物５の長手方向と平行するようにアンテナ部材２を台座部３３に固定しているが、図１１Ｂに示すように、シート状アンテナ２１の長手方向が被装着物５の長手方向に対して垂直になるように台座部３３にアンテナ部材２を固定するようにしてもよい。
【００７６】
以上に説明した実施例６のＲＦタグ１によれば、細長い平板状の被装着物５に容易かつ確実に装着することができる。
【００７７】
＝＝実施例７＝＝
図１２に実施例７として説明するＲＦタグ１の斜視図を示している。同図に示すＲＦタグ１は、図１に示した実施例１のＲＦタグ１と台座部３３の構造が異なっている。すなわち、このＲＦタグ１の台座部３３は、環状体３の側面３１ａ，３１ｂの一部を外周方向に突出させて形成されている。また台座部３３は、その長手方向が環状体３の中心軸Ｚに平行して設けられる、平面略矩形状のアンテナ固定部３３１を有している。
【００７８】
アンテナ固定部３３１には、実施例１のＲＦタグ１におけるものと同じ構造のアンテナ部材２が、その長手方向の一方の側の端面をアンテナ固定部３３１の表面に接合することにより固定されている。すなわち、アンテナ部材２は、そのアンテナパターン２１１のパターン面の法線が、環状体３の中心軸Ｚに対して垂直な位置関係となるように、つまりアンテナパターン２１１のパターン面が環状体３の中心軸Ｚを通り外周方向を向く線に平行な位置関係となるように接合される。
【００７９】
この実施例７のＲＦタグ１によれば、台座部３３の高さ分だけアンテナ部材２が被装着物５から所定距離以上離間して設けられるので、実施例１のＲＦタグ１の場合と同様の理由により、被装着物５による影響が抑えられる。また実施例３のＲＦタグ１と同様の理由によっても、被装着物５による影響が抑えられる。このため、より確実に実用的な応答性能を確保することができる。なお、実施例７のＲＦタグ１についても、他の実施例と同様に、環状体３の数は任意に設定することができる。
【００８０】
なお、以上の実施形態の説明は本考案の理解を容易にするためのものであり、本考案を限定するものではない。本考案はその趣旨を逸脱することなく、変更、改良され得ると共に本考案にはその等価物が含まれることは勿論である。
【図面の簡単な説明】
【００８１】
【図１】実施例１として示すＲＦタグ１の斜視図である。
【図２】無線ＩＣチップ２１２のブロック図である。
【図３】実施例１として示すＲＦタグ１を環状体３ａ，３ｂの中心軸Ｚの方向（図１において矢印Ａで示す方向）から眺めた図である。
【図４Ａ】実施例１として示すＲＦタグ１が被装着物５に装着されている様子を示す図である。
【図４Ｂ】実施例１として示すＲＦタグ１をカゴ車６のフレームパイプ（被装着物５）に装着した様子を示す図である。
【図５Ａ】性能測定に際して試作したＲＦタグ１の寸法を示す図である。
【図５Ｂ】性能測定に際して試作したＲＦタグ１の寸法を示す図である。
【図６】性能測定に際して試作したＲＦタグ１のアンテナパターン２１１を示す図である。
【図７】実施例２として示すＲＦタグ１の斜視図である。
【図８】実施例３として示すＲＦタグ１の斜視図である。
【図９】実施例４として示すＲＦタグ１の斜視図である。
【図１０】実施例５として示すＲＦタグ１の斜視図である。
【図１１Ａ】実施例６として示すＲＦタグ１の斜視図である。
【図１１Ｂ】実施例６として示すＲＦタグ１の斜視図である。
【図１２】実施例７として示すＲＦタグ１の斜視図である。
【符号の説明】
【００８２】
１  ＲＦタグ
２  アンテナ部材
２１  シート状アンテナ
２１１  アンテナパターン
２１２  無線ＩＣチップ
２２  保護部材
３  環状体
３１  側面
３１１  内周側面
３２  開口部
３３  台座部
３３１  アンテナ固定部
３３１１  凹部
３４  先端部
３５  頂部
３６  切断部
３７  係止部
３８  褶曲部
３９  嵌合部
４０  爪部
４１  開口部  
５  被装着物
６  カゴ車
【図１】
0003135697.tif 000003
【図２】
0003135697.tif 000004
【図３】
0003135697.tif 000005
【図４Ａ】
0003135697.tif 000006
【図４Ｂ】
0003135697.tif 000007
【図５Ａ】
0003135697.tif 000008
【図５Ｂ】
0003135697.tif 000009
【図６】
0003135697.tif 000010
【図７】
0003135697.tif 000011
【図８】
0003135697.tif 000012
【図９】
0003135697.tif 000013
【図１０】
0003135697.tif 000014
【図１１Ａ】
0003135697.tif 000015
【図１１Ｂ】
0003135697.tif 000016
【図１２】
0003135697.tif 000017
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
質問機と通信するためのアンテナ部材と、棒状の被装着物に嵌合可能な形状の内周側面を有する環状体と、前記環状体に設けられ、前記アンテナ部材を前記被装着物から所定距離以上離間させた状態で固定する台座部とを有することを特徴とするＲＦタグ。
【請求項２】
前記環状体は全周の１／２より長い周長の内周側面を有し、前記台座部は前記環状体をその外周方向に突出させて形成されていることを特徴とする請求項１に記載のＲＦタグ。
【請求項３】
前記アンテナ部材はシート状アンテナを含むことを特徴とする請求項１に記載のＲＦタグ。
【請求項４】
前記アンテナ部材は、前記シート状アンテナの少なくとも一方の面に接合される、前記シート状アンテナより剛性の高い保護部材を含むことを特徴とする請求項３に記載のＲＦタグ。
【請求項５】
前記アンテナ部材は、前記シート状アンテナの両面に接合される、前記シート状アンテナより剛性の高い保護部材を含むことを特徴とする請求項３に記載のＲＦタグ。
【請求項６】
前記アンテナ部材は平面略矩形状であり、前記アンテナ部材はその長手方向中央部において前記台座部に固定されていること特徴とする請求項１に記載のＲＦタグ。
【請求項７】
複数の前記環状体を有し、前記アンテナ部材はその長手方向の所定位置において各前記環状体の前記台座部が固定されていることを特徴とする請求項１に記載のＲＦタグ。
【請求項８】
前記台座部は前記環状体をその外周方向に平板状に延出させることにより形成され、前記アンテナ部材はシート状アンテナを含み、前記アンテナ部材は前記シート状アンテナの法線が前記環状体の中心軸に対して垂直になるように前記台座部に固定されることを特徴とする請求項１に記載のＲＦタグ。
【請求項９】
前記アンテナ部材は、前記シート状アンテナの少なくとも一方の面に接合される、前記シート状アンテナより剛性の高い保護部材を含むことを特徴とする請求項８に記載のＲＦタグ。
【請求項１０】
前記アンテナ部材は、前記シート状アンテナの両面に接合される、前記シート状アンテナより剛性の高い保護部材を含むことを特徴とする請求項９に記載のＲＦタグ。
【請求項１１】
前記アンテナ部材は平面略矩形状であり、前記アンテナ部材はその長手方向中央部において前記台座部に固定されていること特徴とする請求項８に記載のＲＦタグ。
【請求項１２】
前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることを特徴とする請求項１に記載のＲＦタグ。
【請求項１３】
前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることを特徴とする請求項１に記載のＲＦタグ。
【請求項１４】
質問機と通信するためのアンテナ部材と、内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、前記アンテナ部材が前記被装着物から所定距離以上離間させた状態で固定される台座部とを有することを特徴とするＲＦタグ。
【請求項１５】
前記環状体は前記開口から前記嵌合部に前記被装着物を誘導する窄み形状を有することを特徴とする請求項１４に記載のＲＦタグ。
【請求項１６】
前記アンテナ部材は平面略矩形状のシート状アンテナを含み、前記アンテナ部材が、前記シート状アンテナの長手方向が前記被装着物の長手方向と平行になるように前記台座部に固定されていることを特徴とする請求項１４に記載のＲＦタグ。
【請求項１７】
前記アンテナ部材は平面略矩形状のシート状アンテナを含み、前記アンテナ部材が、前記シート状アンテナの長手方向が前記被装着物の長手方向に対して垂直になるように前記台座部に固定されていることを特徴とする請求項１４に記載のＲＦタグ。
【請求項１８】
前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることを特徴とする請求項１に記載のＲＦタグ。
【請求項１９】
棒状の被装着物に嵌合可能な形状の内周側面を有する環状体と、前記環状体に設けられ、質問機と通信するためのアンテナ部材を前記被装着物から所定距離以上離間させた状態で固定する台座部とを有することを特徴とするＲＦタグ装着具。
【請求項２０】
前記台座部は前記環状体をその外周方向に平板状に延出させることにより形成され、シート状アンテナを含む前記アンテナ部材が、前記シート状アンテナの法線が前記環状体の中心軸に対して垂直になるように前記台座部に固定されることを特徴とする請求項１９に記載のＲＦタグ装着具。
【請求項２１】
前記環状体は円筒状かつ可撓性を有する素材からなり、前記環状体はその側面に当該側面の一部を当該環状体の長手方向に沿って分離する切断部を有し、前記切断部において対向する前記側面の各端部に当該各端部同士を脱着可能に結合する係止部が形成されていることを特徴とする請求項１９に記載のＲＦタグ装着具。
【請求項２２】
前記台座部は、前記環状体をその外周方向に突出させて形成されるとともに、その長手方向が前記環状体の中心軸に平行する平面略矩形状の固定部を有し、前記固定部はその面内にシート状アンテナを収容するための凹部を有し、前記固定部に前記凹部を塞ぐ平面略矩形状の保護部材が設けられていることを特徴とする請求項１９に記載のＲＦタグ装着具。
【請求項２３】
内周側面の一部が開口するとともに前記開口から挿入される細長い平板状の被装着物に嵌合可能な形状の嵌合部を有する環状体と、前記内周側面の一部に設けられ、前記嵌合部に嵌合されている前記被装着物を固定する爪部と、前記環状体の側面を厚肉にして設けられ、質問機と通信するためのアンテナ部材が前記被装着物から所定距離以上離間させた状態で固定される台座部とを有することを特徴とするＲＦタグ装着具。
【請求項２４】
前記アンテナ部材は平面略矩形状のシート状アンテナを含み、前記台座部は、前記環状体をその外周方向に突出させて形成されるとともに、その長手方向が前記環状体の中心軸に平行する平面略矩形状の固定部を有し、前記アンテナ部材は前記シート状アンテナの法線が前記環状体の中心軸に対して垂直になるように前記台座部の表面に固定されることを特徴とする請求項１９に記載のＲＦタグ装着具。
【手続補正２】
【補正対象書類名】明細書
【補正対象項目名】００２４
【補正方法】変更
【補正の内容】
【００２４】
また第１９の請求項に記載の考案は、ＲＦタグ装着具であって、棒状の被装着物に嵌合可能な形状の内周側面を有する環状体と、前記環状体に設けられ、質問機と通信するためのアンテナ部材を前記被装着物から所定距離以上離間させた状態で固定する台座部とを有することとする。